(57)【要約】【課題】室内熱交換器を変更してもケーシングを変更せずに、室内熱交換器を正確に保持し固定することのできる空気調和機を提供すること。【解決手段】底板２上に、本体１前面の一側に片寄る吸込口および、または一側の吸込口に臨ませて少なくとも一列に形成したＬ字状の室内側熱交換器３と、同室内側熱交換器に対向させた送風ファン１０と、同送風ファンを収容し本体前面の他側上部に導く導風路５ａを形成した導風部と、同導風部の下方に設けられた電装箱７とを載置してなる空気調和機において、前記室内側熱交換器３の後方の内側に対向して、前記導風部の側面に第一取付穴４ｆ、第二取付穴６ｅからなる係止部が設けられ、同係止部に前記室内側熱交換器の後方内側に当接されるスペーサ２０、２１が着脱自在に設けられるようにした。【選択図】  図１
2004239577.tif 000002
【特許請求の範囲】
【請求項１】
底板上に、本体前面の一側に片寄る吸込口および、または一側の吸込口に臨ませて少なくとも一列に形成したＬ字状の室内側熱交換器と、同室内側熱交換器に対向させた送風ファンと、同送風ファンを収容し本体前面の他側上部に導く導風路を形成した導風部と、同導風部の下方に設けられた電装箱とを載置してなる空気調和機において、
前記室内側熱交換器の後方の内側に対向して、前記導風部の側面に係止部が設けられ、同係止部に前記室内側熱交換器の後方内側に当接されるスペーサが着脱自在に設けられてなることを特徴とする空気調和機。
【請求項２】
前記係止部と、同係止部に着脱自在に係止される前記スペーサとが、前記室内側熱交換器の上下部に対向するように設けられてなることを特徴とする請求項１に記載の空気調和機。
【請求項３】
前記スペーサの先端上下部に、斜面部または曲面部を形成してなることを特徴とする請求項１または請求項２に記載の空気調和機。
【発明の詳細な説明】
【０００１】
【発明の属する技術分野】
本発明は、ウインドタイプの空気調和機に係わり、より詳細には、簡便な構成により、二列でＬ字状に形成された室内熱交換器の内側を正確に保持できるようにした構成に関する。
【０００２】
【従来の技術】
従来の空気調和機は、図４および図５に示すように、底板２上に、本体１前面の一側に片寄る吸込口および、または一側の吸込口に臨ませて二列で形成されたＬ字状の室内側熱交換器３と、同室内側熱交換器３に対向させた送風ファン１０と、同送風ファン１０を収容し本体１前面の他側上部に導く導風路５ａを形成した導風部と、同導風部の下方に設けられた電装箱カバー８と、同電装箱カバー８の下部に連続的に設けた電装箱７とを載置してなる空気調和機において、前記一側の吸込口に臨ませた前記室内側熱交換器３の下部後方の内側に対向して、前記導風部を形成する下部ケーシング４および上部ケーシング６の外面に第一突部４ｅ、第二突部６ｄをそれぞれ設けた構成としている（例えば、特許文献１参照。）。
上記構成によれば、二列でＬ字状に形成された室内側熱交換器を、正確に保持し固定できるという効果がある。
しかし、前記第一突部４ｅ、第二突部６ｄが下部ケーシング４、上部ケーシング６とそれぞれ一体に形成されているため、室内熱交換器の列数、フィン幅、ヘアピン径等を変更した場合、同室内熱交換器の幅が変わるため、前記下部ケーシング４を変更しなければならず、同ケーシングの種類が増え、コスト面、管理面で不利となるという問題がある。
【０００３】
【特許文献１】
特開平９−１４５１４２号公報（第２−３頁、第１図）
【０００４】
【発明が解決しようとする課題】
本発明は以上述べた問題点を解決し、室内熱交換器を変更してもケーシングを変更せずに、室内熱交換器を正確に保持し固定することのできる空気調和機を提供することを目的としている。
【０００５】
【課題を解決するための手段】
本発明は上述の課題を解決するため、底板上に、本体前面の一側に片寄る吸込口および、または一側の吸込口に臨ませて少なくとも一列に形成したＬ字状の室内側熱交換器と、同室内側熱交換器に対向させた送風ファンと、同送風ファンを収容し本体前面の他側上部に導く導風路を形成した導風部と、同導風部の下方に設けられた電装箱とを載置してなる空気調和機において、
前記室内側熱交換器の後方の内側に対向して、前記導風部の側面に係止部が設けられ、同係止部に前記室内側熱交換器の後方内側に当接されるスペーサが着脱自在に設けられてなる空気調和機としている。
【０００６】
また、前記係止部と、同係止部に着脱自在に係止される前記スペーサとが、前記室内側熱交換器の上下部に対向するように設けられてなる空気調和機としている。
【０００７】
また、前記スペーサの先端上下部に、斜面部または曲面部を形成してなる空気調和機としている。
【０００８】
【発明の実施の形態】
以下、図面に基づいて本発明による空気調和機を詳細に説明する。
図１は本発明による空気調和機の説明図で、（Ａ）は要部斜視図、（Ｂ）は（Ａ）で示すＡーＡ断面図であり、図２は同要部説明図で、（Ａ）は要部分解斜視図、（Ｂ）は（Ａ）で示すＢ矢視図であり、図３は同要部側断面図である。
図１（Ａ）（Ｂ）および図２（Ａ）（Ｂ）において、１はウインドタイプの空気調和機本体で、２は後述する室内側熱交換器等を載置する底板で、２ａは同底板２に後述する第一側板の第一取付部に対応して設けられたねじ孔である。３は前記底板２に載置された室内側熱交換器で、同室内側熱交換器３は、前記本体１前面の一側に片寄せた位置に設けた吸込口および、または一側の吸込口に臨ませて、二列でＬ字状に形成して前記底板２上に載置され前記本体１内に設けられた構成となっている。
【０００９】
３ａは、図１（Ｂ）および図２（Ａ）で示すように、前記本体１前面の吸込口に臨ませた前記室内側熱交換器３の二列に亘ってその他端に設けた第一側板で、３ｂは、同第一側板３ａに設けられ、同第一側板３ａを前記底板２のねじ孔２ａにねじにより螺着し固定するための第一取付部である。３ｃは、図１（Ｂ）および図２（Ａ）で示すように、前記一側の吸込口に臨ませた前記室内側熱交換器３の外側一列の一端に設けた第二側板で、３ｄは、同第二側板３ｃに設けられ、同第二側板３ｃを後述する仕切板のねじ孔にねじにより螺着し固定するための第二取付部である。３ｅは、図１（Ｂ）および図２（Ａ）で示すように、前記一側の吸込口に臨ませた前記室内側熱交換器３の内側一列の一端に設けた第三側板である。
【００１０】
４は、図１（Ｂ）および図２（Ａ）（Ｂ）で示すように、前記室内側熱交換器３に対向して前記底板２上に載置され、後述する送風ファンの下部を収容し、前記本体１前面の吸込口および、または一側の吸込口から吸い込まれた空気を、前記本体１前面の他側上部に設けられた後述する吹出口に向けて導風路を形成するための導風部を構成した、発泡断熱材からなる下部ケーシングである。なお、前記導風部は、前記下部ケーシング４と、後述する中部ケーシングと、後述する下部ケーシングとに三分割されて構成されるようにしたことにより、夫々を発泡断熱材で断熱効果を高めた構造にして、安価に且つ容易に製作できるようにした構成となっている。
【００１１】
４ａは、図２（Ａ）で示すように、前記下部ケーシング４内に後述する送風ファンの下部を収容するための収容部で、４ｂは、後述する吹出口に向けて導風路を形成するため、後述する中部ケーシングに接続する導風口である。４ｃは、図２（Ａ）で示すように、前記下部ケーシング４に設けられた第一突起部で、同第一突起部４ｃは、後述する中部ケーシングの第一係止孔に係止することにより、前記下部ケーシング４と後述する中部ケーシングとを位置決めして接合できるようにした第一位置決め部を形成している。４ｄは、図２（Ａ）で示すように、前記下部ケーシング４に設けられた前記室内側熱交換器３を載置するための載置部である。
【００１２】
４ｆは、図１（Ｂ）、図２（Ａ）（Ｂ）および図３で示すように、前記一側の吸込口に臨ませた前記室内側熱交換器３の下部後方の内側に対向して、前記下部ケーシング４の側面に設けられた第一取付穴からなる係止部で、同第一取付穴４ｆには同第一取付穴４ｆに係止する突起２０ａを備えた断面略凸形状のスペーサ２０が取り付けられている。
そして、このスペーサ２０の先端を前記一側の吸込口に臨ませた前記室内側熱交換器３の後方の内側に当接することによって、前記第二取付部３ｄで前記室内側熱交換器３の後方の外側を固定するのと同時に、同室内側熱交換器３の後方の内側を固定することによって、同室内側熱交換器３に所謂アバレが発生しないよう正確に保持し固定できるようにした構成となっている。
なお、前記スペーサ２０の上部先端は、図２（Ｂ）で示すように、斜面ａまたは曲面ａを形成しており、これによって、前記スペーサ２０を前記室内側熱交換器３の後方の内側に当接した際、前記スペーサ２０が損傷しにくい構成となっている。
また、前記スペーサ２０は、発泡断熱材または合成樹脂により、前記下部ケーシング４とは別体に形成されたことにより、前記室内側熱交換器３の例えば、列数、フィン幅、ヘアピン径等の設計変更により、同室内側熱交換器３の幅が変更された場合、従来のように、前記下部ケーシング４を変更しなくとも、前記幅（Ｗ）を変更したスペーサ２０を用意するだけで柔軟に対応でき、また、設計コストや金型コストを低減することができる。
なお、図３に示すように、前記スペーサ２０の突起２０ａの径（Ｒ）は前記発泡断熱材からなる下部ケーシング４の側面に設けられた第一取付穴４ｆの内径（Ｒ’）より少許大きく形成されているので、スペーサ２０が下部ケーシング４に確実に固定される。
また、前記スペーサ２０の突起２０ａの外周に凹凸を設けることにより、より強固に固定することができる。
【００１３】
５は、図２（Ａ）で示すように、前記下部ケーシング４の他側上部に接合され、前記導風口４ｂから導かれた空気を後述する吹出口に向けて導風路を形成するための導風部を構成した、発泡断熱材からなる中部ケーシングである。
【００１４】
５ａは、図２（Ａ）で示すように、前記導風口４ｂに接続するように、前記中部ケーシング５に設けられた導風路である。５ｂは、図１（Ａ）（Ｂ）および図２（Ａ）で示すように、前記導風路５ａに連続させた吹出口で、同吹出口５ｂは、前記中部ケーシング５によってその下部が形成されており、前記本体１の他側上部に設けられ、室内に向けて吹出空気を吹き出せるようにした構成となっている。５ｃは、図２（Ａ）で示すように、前記第一突起部４ｃに対応して前記中部ケーシング５に設けられた第一係止孔で、同第一係止孔５ｃに前記第一突起部４ｃを係止して、前記下部ケーシング４に前記中部ケーシング５を正確に接合できるようにした構成となっている。
【００１５】
５ｄは、図２（Ａ）で示すように、前記中部ケーシング５に設けられた複数の第二突起部で、同第二突起部５ｄは、後述する上部ケーシングの第二係止孔に係止することにより、前記中部ケーシング５と後述する上部ケーシングとを正確に位置決めして接合できるようにした構成となっている。
【００１６】
６は、図２（Ａ）（Ｂ）で示すように、前記室内側熱交換器３に対向して前記下部ケーシング４および前記中部ケーシング５と共に前記底板２上に載置され、後述する送風ファンの上部を収容し、後述する吸込口から吸い込まれた空気を前記本体１前面の他側上部に設けられた前記吹出口５ｂに向けて導風路を形成するための導風部を構成した、発泡断熱材からなる上部ケーシングである。６ａは、図２（Ａ）で示すように、前記上部ケーシング６内に後述する送風ファンの上部を収容するための収容部で、６ｂは、前記吹出口５ｂに向けて上部の導風路を形成するため、前記中部ケーシング５に接続する導風口である。６ｃは、図２（Ａ）で示すように、前記第二突起部５ｄに対応して、前記上部ケーシング６に設けられた複数の第二係止孔で、同第二係止孔６ｃは、前記中部ケーシング５の第二突起部５ｄを係止することにより、前記上部ケーシング６と前記中部ケーシング５とを正確に位置決めして接合できるようにした構成となっている。
【００１７】
６ｅは、図２（Ａ）（Ｂ）で示すように、前記一側の吸込口に臨ませた前記室内側熱交換器３の上部後方の内側に対向して、前記上部ケーシング６の側面に設けられた第二取付穴からなる係止部で、同第二取付穴６ｅには同第二取付穴６ｅに係止する突起２１ａを備えた断面略凸形状のスペーサ２１が取り付けられている。
そして、このスペーサ２１の先端を前記一側の吸込口に臨ませた前記室内側熱交換器３の上部後方の内側に当接することによって、前記第二取付部３ｄで前記室内側熱交換器３の下部後方の外側を固定するのと同時に、同室内側熱交換器３の上部後方の内側を固定することによって、同室内側熱交換器３に所謂アバレが発生しないよう正確に保持し固定できるようにした構成となっている。
なお、前記第二取付穴６ｅと前記第一取付穴４ｆとに、前記スペーサ２０と前記スペーサ２１を取付けて前記室内側熱交換器３の上下部後方に当接することによって、同室内側熱交換器３に所謂アバレが発生しないよう、より正確に保持し固定できるようにした構成となっている。
また、前記第二取付穴６ｅに取り付けられる前記スペーサ２１はその下部先端が、図２（Ｂ）で示すように、斜面ｂまたは曲面ｂを形成しており、これによって、前記スペーサ２１を前記室内側熱交換器３の上部後方の内側に当接した際、前記スペーサ２１が損傷しにくくなるようにした構成となっている。
また、前記スペーサ２１は、発泡断熱材または合成樹脂により、前記上部ケーシング６とは別体に形成されたことにより、前記室内側熱交換器３の例えば、列数、フィン幅、ヘアピン径等の設計変更により、同室内側熱交換器３の幅が変更された場合、従来のように、前記上部ケーシング６を変更しなくとも、前記幅（Ｗ）を変更したスペーサ２１を用意するだけで柔軟に対応でき、また、設計コストや金型コストを低減することができる。
なお、前記スペーサ２１は、前記スペーサ２０の上下に斜面ａ（ｂ）、または曲面ａ（ｂ）を形成することにより、前記スペーサ２０とスペーサ２１とを共通部品として製造、管理することができる。
【００１８】
７は、図１（Ａ）および図２（Ａ）で示すように、前記導風路５ａおよび前記吹出口５ｂの下方に設けられた電装箱で、８は、同電装箱７の上部に連続的に設けられた電装箱カバーである。９は、図２（Ａ）で示すように、前記底板２上に立設された仕切板で、同仕切板９により、図示はしないが前記本体１内が室内側と室外側とに区画された構成となっている。９ａは、図２（Ａ）で示すように、前記第二側板３ｃの前記第二取付部３ｄに対応して、前記仕切板９に設けられたねじ孔で、同ねじ孔９ａに前記第二取付部３ｄをねじにより螺着し固定することにより、前記一側の吸込口に臨ませた前記室内側熱交換器３の後方の外側一列を前記仕切板９に固定できるようにした構成となっている。１０は、図１（Ｂ）および図２（Ａ）で示すように、前記室内側熱交換器３に対向して、前記下部ケーシング４の収容部４ａおよび前記上部ケーシング６の収容部６ａに収容された送風ファンである。１１は、図１（Ａ）（Ｂ）で示すように、前記底板２に被着したカバーで、同カバー１１により前記室内側熱交換器３等が保護される構成となっている。
【００１９】
以上の構成により、図１（Ａ）（Ｂ）、図２（Ａ）（Ｂ）および図３で示すように、前記第一取付部３ｂを前記底板２に固定し、前記第二取付部３ｄを前記仕切板９に固定するのと同時に、前記下部ケーシング４の第一取付穴４ｆに取付けたスペーサ２０および前記上部ケーシング６の第二取付穴６ｅに取付けたスペーサ２１とにより、前記室内側熱交換器３に所謂アバレが発生しないよう正確に保持し固定できるようにし、前記室内側熱交換器３の設計変更においても、前記下部ケーシング４および前記上部ケーシング６の設計変更をすることなく、前記スペーサ２０、２１の設計変更のみで柔軟に対応できる空気調和機となる。
【００２０】
【発明の効果】
以上説明したように、本発明によると、下部ケーシングと上部ケーシングにそれぞれ第一取付穴、第二取付穴を設け、同第一取付穴、第二取付穴にスペーサをそれぞれ取付けたので、二列でＬ字状に形成された室内側熱交換器を、正確に保持し固定できるとともに、前記室内側熱交換器の例えば、列数、フィン幅、ヘアピン径等の設計変更により、同室内側熱交換器の幅が変更された場合であっても、従来のように、前記下部ケーシングおよび上部ケーシングを変更しなくとも、幅（Ｗ）を変更したスペーサを用意するだけで柔軟に対応でき、また、設計コストや金型コストを低減することができる。
【図面の簡単な説明】
【図１】本発明による空気調和機の説明図で、（Ａ）は要部斜視図、（Ｂ）は（Ａ）で示すＡーＡ断面図である。
【図２】本発明による空気調和機の要部説明図で、（Ａ）は要部分解斜視図、（Ｂ）は（Ａ）で示すＢ矢視図である。
【図３】本発明による空気調和機の一実施例を示す要部斜視図である。
【図４】従来例による空気調和機の説明図で、（Ａ）は要部斜視図、（Ｂ）は（Ａ）で示すＡーＡ断面図である。
【図５】従来例による空気調和機の要部説明図で、（Ａ）は要部分解斜視図、（Ｂ）は（Ａ）で示すＢ矢視図である。
【符号の説明】
１  空気調和機本体
２  底板
２ａ  ねじ孔
３  室内側熱交換器
３ａ  第一側板
３ｂ  第一取付部
３ｃ  第二側板
３ｄ  第二取付部
３ｅ  第三側板
４  下部ケーシング（導風部）
４ａ  送風ファン収容部（下）
４ｂ  導風口
４ｃ  第一突起部
４ｄ  室内側熱交換器の載置部
４ｆ  第一取付穴
５  中部ケーシング（導風部）
５ａ  導風路
５ｂ  吹出口
５ｃ  第一係止孔
５ｄ  第二突起部
６  上部ケーシング（導風部）
６ａ    送風ファン収容部（上）
６ｂ  導風口
６ｃ  第二係止孔
６ｅ  第二取付穴
７  電装箱
８  電装箱カバー
９  仕切板
９ａ  ねじ孔
１０  送風ファン
１１  カバー
ａ，ｂ  斜面または曲面
２０、２１  スペーサ
２０ａ、２１ｂ  突起
【図１】
2004239577.tif 000003
【図２】
2004239577.tif 000004
【図３】
2004239577.tif 000005
【図４】
2004239577.tif 000006
【図５】
2004239577.tif 000007